(57)【要約】【課題】内視鏡が大型化することを防止しながら立体視内視鏡と立体視顕微鏡との両方の機能を併せ持つことができ、かつその切り替えを容易かつ迅速に行なうことができる立体視観察装置を提供する。【解決手段】１対の光軸を有する第１の立体視用光学系１６を備えた観察装置本体１２には、挿入部着脱部５０が設けられている。１対の光軸を有する第２の立体視用光学系３８が内蔵された細長い挿入部ユニット１４の基端部は、挿入部着脱部５０に着脱可能である。挿入部ユニット１４が挿入部着脱部５０に連結された状態で第２の立体視用光学系３８の光軸が第１の立体視用光学系１６の光軸にそれぞれ合わせられ、挿入部ユニット１４が挿入部着脱部５０から取り外された状態で第１の立体視用光学系１６の光軸を移動させて第１の立体視用光学系１６の光軸を互いに交差するように移動させる光軸移動機構５４は、観察装置本体１２に設けられている。【選択図】      図１
2005134537.tif 000002
【特許請求の範囲】
【請求項１】
立体視観察用の１対の光軸を有する２眼の第１の立体視用光学系を備えた本体に挿入部着脱部を設け、
生体組織に挿入可能で、立体視観察用の１対の光軸を有する第２の立体視用光学系が内蔵された細長い挿入部の基端部を前記挿入部着脱部に着脱可能に連結するとともに、
前記挿入部が前記挿入部着脱部に連結された状態で前記第２の立体視用光学系の光軸が前記第１の立体視用光学系の光軸にそれぞれ合わせられ、前記挿入部が前記挿入部着脱部から取り外された状態で前記第１の立体視用光学系の光軸を移動させて前記第１の立体視用光学系の光軸を互いに交差するように移動させる光軸移動手段を前記本体に設けたことを特徴とする立体視観察装置。
【請求項２】
前記光軸移動手段は、前記第１の立体視用光学系の少なくとも一部を移動させて前記第１の立体視用光学系の光軸を移動させる光軸偏向機構を有することを特徴とする請求項１に記載の立体視観察装置。
【請求項３】
前記光軸移動手段は、前記第１の立体視用光学系のそれぞれの光軸上に、これら光軸を偏向するためのミラーおよびプリズムの少なくともいずれかを有することを特徴とする請求項１もしくは請求項２に記載の立体視観察装置。
【請求項４】
前記光軸移動手段は、前記第１の立体視用光学系のそれぞれの光軸上に、被検体像を撮像するとともに、撮像された像の画郭を切り出し可能な画像処理システムを有することを特徴とする請求項１ないし請求項３のいずれか１に記載の立体視観察装置。
【発明の詳細な説明】
【技術分野】
【０００１】
この発明は、立体視観察可能な立体視観察装置に関する。
【背景技術】
【０００２】
特許文献１ないし特許文献３には、立体視内視鏡が開示されている。特許文献１および特許文献２に開示された立体視内視鏡は、立体視内視鏡の本体（２眼の手術用顕微鏡）と、この本体に装着され、本体に被検体の光学像を導くための棒状の光学系（挿入部）とを備えている。棒状の光学系の内部には、被検体の中間像が形成される。この立体視内視鏡では、レンズやプリズムなどの光学素子が適宜に選択されている。このため、棒状の光学系の鏡筒の直径をできるだけ小さくしながら良好な結像の質（高い結像分解能）、良好な精細度、および良好な焦点深度を有する。このため、この立体視内視鏡は、良好な立体画像を得ることができる。
【０００３】
特許文献３に開示された立体視内視鏡は、立体視内視鏡の本体（観察部）と、この本体に接続された棒状の挿入部とを備えている。本体には、瞳分割ミラーを備えているので、瞳分割ミラーにより分割された像を肉眼と、撮像素子で撮像した画像との両方で観察することができる。この結果、術者（観察者）は、２つの方法で被検体を立体的に観察することができる。
【特許文献１】特開平６−１６７６５８号公報
【特許文献２】特開平７−５３７８号公報
【特許文献３】特開平８−１８４７６６号公報
【発明の開示】
【発明が解決しようとする課題】
【０００４】
上述した特許文献１および特許文献２には、双眼の手術用顕微鏡に挿入部を装着して立体視内視鏡を形成して高画質の３次元像を得る技術が開示されているが、顕微鏡の下に硬性鏡をつなぐ構造のため、装置が大型化する。したがって、内視鏡として用いるには、長く延びて大型化した棒状の光学系を有する内視鏡を操作するのは術者にとって非常に難しい作業となる。
【０００５】
さらに、内視鏡を用いて例えば脳外科手術を行なっている際に、内視鏡を用いた状態から緊急に顕微鏡を用いて術部を観察しながら処置を行なうように切り替えなければならない場合がある。このような場合、内視鏡と顕微鏡との両方を手術室に配置しておくと、大型の装置が手術室のスペースを占有してしまう。また、内視鏡から顕微鏡を用いた処置に切り替える場合、その準備や撤去に人員を要したり、迅速に切り替えることが困難であるといった問題がある。例えば特許文献３に開示された立体視内視鏡は、挿入部の光軸が本体（観察部）の肉眼視用および撮像素子用の２つの光軸に合わせられた状態で接続されているので、その場で挿入部を取り外して本体を顕微鏡としてすぐに使用することは困難である。
【０００６】
この発明は、このような課題を解決するためになされたもので、その目的とするところは、内視鏡が大型化することを防止しながら立体視内視鏡と立体視顕微鏡との両方の機能を併せ持つことができ、かつその切り替えを容易かつ迅速に行なうことができる立体視観察装置を提供することにある。
【課題を解決するための手段】
【０００７】
上記課題を解決するために、この発明の、立体視観察装置は、立体視観察用の１対の光軸を有する２眼の第１の立体視用光学系を備えた本体に挿入部着脱部を設け、生体組織に挿入可能で、立体視観察用の１対の光軸を有する第２の立体視用光学系が内蔵された細長い挿入部の基端部を前記挿入部着脱部に着脱可能に連結するとともに、前記挿入部が前記挿入部着脱部に連結された状態で前記第２の立体視用光学系の光軸が前記第１の立体視用光学系の光軸にそれぞれ合わせられ、前記挿入部が前記挿入部着脱部から取り外された状態で前記第１の立体視用光学系の光軸を移動させて前記第１の立体視用光学系の光軸を互いに交差するように移動させる光軸移動手段を前記本体に設けたことを第１の特徴とする。  
このような構成を有するので、本体に対する挿入部の接続有無に応じて観察光軸が偏向される。このとき、挿入部が本体に接続された状態では、第１および第２の立体視用光学系の光軸がそれぞれ合わせられて立体視内視鏡装置として機能される。挿入部が本体から取り外された状態では、第１の立体視用光学系が自動的に輻輳角を持ち、立体視顕微鏡装置として機能される。
【０００８】
また、好ましくは、前記光軸移動手段は、前記第１の立体視用光学系の少なくとも一部を移動させて前記第１の立体視用光学系の光軸を移動させる光軸偏向機構を有することを第２の特徴とする。  
このような構成を有するので、１対の光軸上にそれぞれ配設された一部の光学部材のみや全部の光学部材を適当な方向に移動させることによって、立体視観察装置に入射される光軸を偏向することができる。
【０００９】
また、好ましくは、前記光軸移動手段は、前記第１の立体視用光学系のそれぞれの光軸上に、これら光軸を偏向するためのミラーおよびプリズムの少なくともいずれかを有することを第３の特徴とする。  
このような構成を有するので、ミラーおよびプリズムの少なくともいずれかによって、光軸を偏向することができる。
【００１０】
また、好ましくは、前記光軸移動手段は、前記第１の立体視用光学系のそれぞれの光軸上に、被検体像を撮像するとともに、撮像された像の画郭を切り出し可能な画像処理システムを有することを第４の特徴とする。
【００１１】
このような構成を有するので、撮像素子の所定の領域内に光学中心を移動させることによって、光軸を偏向することができる。このため、内視鏡として用いられる場合と顕微鏡として用いられる場合との両方の場合の光軸を、撮像素子に結像された像の切り出し位置によって選択することができる。
【発明の効果】
【００１２】
この発明によれば、内視鏡が大型化することを防止しながら立体視内視鏡と立体視顕微鏡との両方の機能を併せ持つことができ、かつその切り替えを容易かつ迅速に行なうことができる立体視観察装置を提供することができる。
【発明を実施するための最良の形態】
【００１３】
以下、図面を参照しながらこの発明を実施するための最良の形態（以下、実施の形態という）について説明する。
【００１４】
まず、第１の実施の形態について図１（Ａ）ないし図４（Ｂ）を用いて説明する。
【００１５】
この実施の形態に係わる立体視観察装置１０は、手術用立体視顕微鏡（後述する観察装置本体１２のみ）で使用される状態（図２（Ａ）ないし図２（Ｃ）に示す状態）と、立体視内視鏡（観察装置本体１２に後述する挿入部ユニット１４が装着された状態）で使用される状態（図１（Ａ）ないし図１（Ｃ）に示す状態）とに容易に切り替えることができる。以下、この立体視観察装置１０の構成について詳細に説明する。
【００１６】
図１（Ａ）に示すように、この実施の形態に係わる立体視観察装置１０は、術者に把持されるグリップ部である観察装置本体１２と、この観察装置本体１２に着脱可能な内視鏡挿入部ユニット（以下、単に挿入部ユニットという）１４とを備えている。挿入部ユニット１４は、生体組織内に挿入される細長いパイプ状の挿入部１４ａと、後述する挿入部着脱部５０に着脱自在に装着される略Ｌ字状で内部が空洞の装着部１４ｂとを備えている。装着部１４ｂの先端部は、略下方に向けて開口されている。装着部１４ｂの基端部には、後述する第３のリレーレンズ４６が配設されている。
【００１７】
挿入部１４ａの基端部と装着部１４ｂの先端部とは、互いに連結されている。挿入部ユニット１４の挿入部１４ａは、この実施の形態では例えば金属材などで外周部が形成された硬質であるものとして説明する。観察装置本体１２は、ドレープをかけて使用され、観察装置本体１２と挿入部ユニット１４との間で清潔域と不潔域とが分けられている。
【００１８】
図２（Ａ）および図２（Ｂ）に示すように、観察装置本体１２は、手術用立体視顕微鏡として用いることが可能な第１の立体視用光学系１６を内部に備えている。第１の立体視用光学系１６は、被検体（観察対象物）に近接する側から、カバーガラス１８と、全反射プリズム２０と、正立化プリズム２２と、フォーカス光学系２４と、ズーム光学系２６と、結像レンズ２８と、撮像素子３０とを備えている。図２（Ｂ）に示すように、第１の立体視用光学系１６の全反射プリズム２０と、正立化プリズム２２と、フォーカス光学系２４と、ズーム光学系２６と、結像レンズ２８と、撮像素子３０とは、左右用にそれぞれ１対設けられている。第１の立体視用光学系１６は、右眼系および左眼系がともに同様の構成を備えている。１対の撮像素子３０は、それぞれ信号線３０ａ，３０ｂを介して例えば３次元モニター装置（図示せず）に接続されている。
【００１９】
全反射プリズム２０と、正立化プリズム２２と、フォーカス光学系２４と、ズーム光学系２６と、結像レンズ２８と、撮像素子３０との光学的中心や反射面は、一直線上に配置されていることが好適である。図２（Ａ）に示すように、観察装置本体１２は、全反射プリズム２０が配置された位置（屈曲部）で屈曲されて斜め下側に向けられている。カバーガラス１８は、一直線上に配置された光学部材に対して外れた位置（斜め下側）で観察装置本体１２に配置されている。
【００２０】
一方、図１（Ａ）および図１（Ｃ）に示すように、挿入部ユニット１４は、第２の立体視用光学系３８を挿入部１４ａおよび装着部１４ｂの内部に備えている。第２の立体視用光学系３８は、対物レンズ４０と、第１および第２のリレーレンズ４２ａ，４２ｂと、プリズム４４と、第３のリレーレンズ４６とを備えている。第２の立体視用光学系３８の対物レンズ４０と、第１および第２のリレーレンズ４２ａ，４２ｂと、プリズム４４と、第３のリレーレンズ４６とは、左右用にそれぞれ１対設けられている。第２の立体視用光学系３８は、右眼系および左眼系がともに同様の構成を備えている。対物レンズ４０と、第１および第２のリレーレンズ４２ａ，４２ｂとは、挿入部１４ａの内部に先端部側から基端部側に向かって順に配設されている。プリズム４４と第３のリレーレンズ４６とは、装着部１４ｂの内部に配設されている。
【００２１】
対物レンズ４０と、第１および第２のリレーレンズ４２ａ，４２ｂと、プリズム４４との光学的中心や反射面は、隣接する光学部材の光軸に対して一直線上に配置されていることが好適である。図１（Ｃ）に示すように、プリズム４４は、対物レンズ４０、第１および第２のリレーレンズ４２ａ，４２ｂを出射して入射される光学像を平行に広げるように形成されている。このため、第２のリレーレンズ４２ｂとプリズム４４とは、光学的に接続されている。
【００２２】
第３のリレーレンズ４６は、これら一直線上に配置された光学部材に対して外れた位置（斜め上側）に配置されている。装着部１４ｂは、プリズム４４が配置された位置（屈曲部）で屈曲されて斜め上側に向けられて第３のリレーレンズ４６が配置されている。このため、挿入部１４ａを通して伝達された光学像は、プリズム４４および第３のリレーレンズ４６を介して装着部１４ｂの基端部から挿入部ユニット１４の外部に伝達される。
【００２３】
図３（Ａ）および図４（Ａ）に示すように、観察装置本体１２のカバーガラス１８の外周には、挿入部ユニット１４の装着部１４ｂの基端部を着脱可能な挿入部着脱部５０のリング状の雌体５０ａが配設されている。第３のリレーレンズ４６が配置された挿入部ユニット１４の装着部１４ｂの基端部の外周には、挿入部着脱部５０の雌体５０ａに着脱可能な雄体（図示せず）が形成されている。図示しないが、これら雌体５０ａおよび雄体は、互いに対して常に決められた位置で装着されるようにそれぞれ位置決め用の爪部（突起部）や爪部受部（突起部受部）等を備えている。このため、挿入部ユニット１４は、観察装置本体１２に対して所定の位置で着脱可能である。
【００２４】
上述した第１および第２の立体視用光学系１６，３８の光学部材は、それぞれ１対設けられているので、立体視用に左右の２つの光軸を有する。挿入部着脱部５０で装着部１４ｂを観察装置本体１２に装着して立体視観察装置１０を立体視内視鏡として使用する場合、第１の立体視用光学系１６は、挿入部ユニット１４の第２の立体視用光学系３８から被検体像（光学像）が受け渡されるように第３のリレーレンズ４６から出射される光の光軸に合わせられるように光学部材（例えば全反射プリズム２０）が配置されていることが必要である。立体視観察装置１０を手術用立体視顕微鏡として使用する場合、第１の立体視用光学系１６は、適当な位置で交差した光軸が入射されるように、カバーガラス１８から出射される光の光軸を平行にするように光学部材（例えば全反射プリズム２０）が配置されていることが必要である。このため、観察装置本体１２に入射される光軸が平行な状態と交差された状態との２つの状態に入射光軸を移動させる（切り替える）光軸移動機構５４が観察装置本体１２に配設されている。この実施の形態では、全反射プリズム２０を所定の回転軸Ｏ１を中心として回動させて光軸を偏向する場合について説明する。
【００２５】
図３（Ａ）ないし図４（Ｂ）に示すように、光軸移動機構５４は、ブロック状のプリズム座５６と、第１および第２のバネ５８ａ，５８ｂと、テーパピン６０と、台座６２と、連結棒６４とを備えている。
【００２６】
プリズム座５６は、回転軸Ｏ１によって観察装置本体１２に対して回動可能に支持されている。プリズム座５６は、全反射プリズム２０が固定された平面状の固定部５６ａと、第１のバネ５８ａの一端部が支持されたバネ支持部５６ｂと、テーパピン６０が移動可能に配設されたテーパピン受部５６ｃとを備えている。固定部５６ａは、第１の立体視用光学系１６のカバーガラス１８を介して全反射プリズム２０に入射される光の光軸がプリズム座５６に干渉されることが防止される位置に設けられている。バネ支持部５６ｂは、他方のプリズム座５６のバネ支持部５６ｂに離隔した側に棒状に設けられている。テーパピン受部５６ｃは、Ｕ字状の切り欠きとして形成されている。テーパピン受部５６ｃの切り欠き径は、テーパピン６０の後述する大径部６０ａよりもやや大きく、大径部６０ａをテーパピン受部５６ｃに嵌め込み可能に形成されている。バネ支持部５６ｂは、回転軸Ｏ１とは異なる軸上に配置されているので、プリズム座５６は、第１のバネ５８ａの付勢力により、回転軸Ｏ１を中心として回動可能である。
【００２７】
テーパピン６０は、それぞれ円柱状の大径部６０ａと、この大径部６０ａよりも小径の小径部６０ｂとがテーパ部６０ｃにより滑らかに一体的に連結されている。テーパピン６０の小径部６０ｂには、第２のバネ５８ｂの一端部が連結されている。第２のバネ５８ｂの他端部は、テーパピン６０を吊り下げるように観察装置本体１２に装着されている。
【００２８】
テーパピン６０の大径部６０ａの下側には、２つのテーパピン６０を支持する薄板状の台座６２が配設されている。台座６２の下面には、連結棒６４の一端部（上端部）が当接されている。このため、連結棒６４が上下方向に移動すると、台座６２を介してテーパピン６０が上下方向に移動する。
【００２９】
ここで、観察装置本体１２には、連結棒６４が挿通される孔１２ａを有する壁部１２ｂが設けられている。挿入部着脱部５０の雌体５０ａには、連結棒６４の下端部が挿入された孔５０ｂが設けられている。連結棒６４には、ストッパー壁部１２ｂと挿入部着脱部５０の雌体５０ａとの間を移動するストッパー６４ａが一体的に設けられている。このため、連結棒６４の下端部は、挿入部着脱部５０の雌体５０ａに対して突没される。連結棒６４は、連結棒６４の下端部が挿入部着脱部５０の雌体５０ａに引き込まれた状態のとき、テーパピン６０の大径部６０ａがテーパピン受部５６ｃに配設された状態となり、連結棒６４の下端部が挿入部着脱部５０の雌体５０ａに対して下側に突出した状態のとき、テーパピン６０の小径部６０ｂがテーパピン受部５６ｃに配設された状態となる長さに設定されている。なお、１対のプリズム座５６の間には、両者の回転軸Ｏ１回りの回動量を規制するストッパー６６が観察装置本体１２に配設されている。
【００３０】
次に、この実施の形態に係わる立体視観察装置１０の作用について説明する。
【００３１】
まず、立体視観察装置１０を手術用立体視顕微鏡として使用する場合について説明する。
【００３２】
図３（Ａ）および図３（Ｂ）に示すように、連結棒６４のストッパー６４ａは、連結棒６４は、ストッパー壁部１２ｂの孔１２ａにより案内された状態で挿入部着脱部５０の雌体５０ａに当接されている。連結棒６４の上端部は、台座６２の下面に当接されている。
【００３３】
この状態で、プリズム座５６のテーパピン受部５６ｃには、テーパピン６０の小径部６０ｂが配設されている。テーパピン受部５６ｃの切り欠き径は、テーパピン６０の小径部６０ｂの外径よりも大きい。プリズム座５６は、第１のバネ５８ａによりバネ支持部５６ｂと観察装置本体１２との間が支持されているので、第１のバネ５８ａに加わる力により回転軸Ｏ１を中心として回動されている。このとき、小径部６０ｂの外周面の一部がテーパピン受部５６ｃに当接された状態まで回動されている。この状態では、プリズム座５６は、ストッパー６６に当接された状態にある。このため、プリズム座５６は、ストッパー６６の傾きにより規定された量だけ回動した状態にある。
【００３４】
この状態の立体視観察装置１０の第１の立体視用光学系１６のカバーガラス１８を介して１対の全反射プリズム２０に入射される光の光軸は、プリズム座５６が回動されて傾けられていることによって、例えば被検体の近傍など、観察装置本体１２の外側で交差された状態となる。
【００３５】
観察装置本体１２のカバーガラス１８には、例えば被検体からの光（像）が入射される。カバーガラス１８に光が入射されると、その光は、全反射プリズム２０に入射される。全反射プリズム２０に入射された光は、反射されて出射される。このとき、全反射プリズム２０に入射される光は、全反射プリズム２０が回動されて傾けられているので、被検体の近傍で交差された位置のものである。全反射プリズム２０により反射されて正立化プリズム２２に出射される光は、互いに平行である。
【００３６】
全反射プリズム２０を出射した光は、正立化プリズム２２に入射されて被検体と同じ向きに変換されて正立化される。正立化プリズム２２を出射した光は、フォーカス光学系２４およびズーム光学系２６を介して結像レンズ２８に入射される。結像レンズ２８によって形成された像は、撮像素子３０で撮像される。撮像素子３０で撮像された像は、信号線３０ａ，３０ｂを介して３次元モニター装置に表示される。なお、被検体に焦点を合わせるために、フォーカス光学系２４を調整する。被検体の観察像を拡縮するために、ズーム光学系２６を調整する。
【００３７】
このため、立体視観察装置１０は、１対の光軸が交差する距離にある物体（被検体）を立体視することが可能な立体視顕微鏡として機能する。
【００３８】
次に、挿入部ユニット１４の装着部１４ｂを挿入部着脱部５０の雌体５０ａに装着して、立体視観察装置１０を立体視内視鏡として使用する場合について図４（Ａ）および図４（Ｂ）を用いて説明する。
【００３９】
挿入部ユニット１４の装着部１４ｂの基端部の挿入部着脱部５０の雄体を観察装置本体１２の挿入部着脱部５０の雌体５０ａに装着する。すると、挿入部ユニット１４の装着部１４ｂは、その基端部で連結棒６４の下端部を上方に向けて押圧しながら装着される。このとき、挿入部ユニット１４が観察装置本体１２に対して位置決めされた状態で装着される。
【００４０】
連結棒６４の下端部が押圧されると、連結棒６４の上端部は、台座６２を鉛直方向上方に押圧する。このため、台座６２とともにテーパピン６０が上方に押し上げられる。テーパピン受部５６ｃには、テーパピン６０の小径部６０ｂが配設された状態からテーパ部６０ｃが配設された状態を介して大径部６０ａが配設された状態に変化する。このとき、テーパピン受部５６ｃにテーパ部を介して大径部６０ａが配設されると、回転軸Ｏ１を中心としてプリズム座５６が次第に回動する。
【００４１】
挿入部ユニット１４の挿入部１４ａは、例えば脳外科手術時などに開頭された腔などの体腔内に挿入される。挿入部１４ａの先端部の対物レンズ４０に被検体からの光（像）が入射される。対物レンズ４０に光が入射されると、その光は、第１および第２のリレーレンズ４２ａ，４２ｂを通して装着部１４ｂのプリズム４４に入射される。プリズム４４に光が入射されると、例えば２回反射して第３のリレーレンズ４６に入射される。第３のリレーレンズ４６に入射された光は、カバーガラス１８を通して全反射プリズム２０に入射される。全反射プリズム２０に入射された光は、反射されて出射される。このとき、全反射プリズム２０に入射される光の光軸は互いに平行であり、全反射プリズム２０から出射される光軸も互いに平行である。
【００４２】
全反射プリズム２０を出射した光は、正立化プリズム２２に入射されて被検体と同じ向きに変換されて正立化される。正立化プリズム２２を出射した光は、フォーカス光学系２４およびズーム光学系２６を介して結像レンズ２８に入射される。結像レンズ２８によって形成された像は、撮像素子３０で撮像される。撮像素子３０で撮像された像は、信号線３０ａ，３０ｂを介して３次元モニター装置に表示される。なお、被検体に焦点を合わせるために、フォーカス光学系２４を調整する。被検体の観察像を拡縮するために、ズーム光学系２６を調整する。
【００４３】
このため、立体視観察装置１０は、１対の光軸が交差する距離にある物体を立体視することが可能な立体視内視鏡として機能する。
【００４４】
さらに、挿入部ユニット１４の装着部１４ｂの基端部を挿入部着脱部５０の雌体５０ａから取り外して立体視観察装置１０を再び手術用立体視顕微鏡として使用する場合について説明する。
【００４５】
挿入部ユニット１４の装着部１４ｂの挿入部着脱部５０の雄体を観察装置本体１２の挿入部着脱部５０の雌体５０ａから取り外す。すると、装着部１４ｂの基端部で連結棒６４の下端部が押圧された状態が解除される。
【００４６】
連結棒６４の下端部の押圧が解除されると、連結棒６４の上端部で台座６２を押圧した状態が解除されるので、テーパピン６０が重力により下方に下げられる。このため、テーパピン受部５６ｃは、テーパピン６０の大径部６０ａが配設された状態からテーパ部６０ｃを介して小径部６０ｂが配設された状態に変化する。このとき、テーパピン受部５６ｃに小径部６０ｂが配設されると、第１のバネ５８ａの付勢力により、回転軸Ｏ１を中心としてプリズム座５６が回動する。このため、第１の立体視用光学系１６の１対の光軸は、観察装置本体１２の外部で交差された状態となる。
【００４７】
なお、このとき、連結棒６４は、ストッパー６４ａが挿入部着脱部５０の雌体５０ａに当接されると、テーパピン６０がそれ以上に下方に移動することが防止される。
【００４８】
以上説明したように、この実施の形態に係わる立体視観察装置１０によれば、以下の効果が得られる。
【００４９】
着脱可能な挿入部ユニット１４が観察装置本体１２に装着された装着状態では、立体視内視鏡として機能し、挿入部ユニット１４を観察装置本体１２から取り外すと、直ちに立体視顕微鏡として機能する立体視観察装置１０を提供することができる。すなわち、挿入部ユニット１４を観察装置本体１２に装着すると、全反射プリズム２０を回動させて観察装置本体１２に入射される１対の光軸が平行で輻輳角が存在せず、挿入部ユニット１４を観察装置本体１２から取り外すと全反射プリズム２０を逆方向に回動させて観察装置本体１２の外部で輻輳角をもたせることができる。
【００５０】
したがって、内視鏡を用いた内視鏡的処置と、顕微鏡を用いた顕微鏡的処置とを迅速的に切り替えることが必要な場合に、挿入部ユニット１４の着脱のみでこれらの処置を容易に切り替えることができる。そうすると、術者が疲労する度合を軽減させることができるとともに、手術時間の短縮を図ることができる。さらに、２つの処置を行なうことが可能なので、手術室内のスペースを開けることができる。
【００５１】
なお、この実施の形態では、フォーカス光学系２４を手動であるものとして説明したが、フォーカス光学系２４にオートフォーカス装置を組み込んでフォーカス光学系２４の調整を自動化しても良い。
【００５２】
この実施の形態では、全反射プリズム２０をプリズム座５６により回動させることを説明したが、全反射プリズム２０を用いる代わりに全反射ミラーを用いても良い。
【００５３】
また、この実施の形態では、挿入部ユニット１４の挿入部１４ａが硬性の硬性鏡であるものとして説明したが、自在に湾曲する可撓性を有する軟性の軟性鏡として構成されていても差し支えない。
【００５４】
次に、第２の実施の形態について図５（Ａ）ないし図６（Ｃ）を用いて説明する。この実施の形態は、第１の実施の形態に係わる立体視観察装置１０の変形例であって、同一の部材には同一の符号を付し、詳しい説明を省略する。
【００５５】
図５（Ａ）および図５（Ｂ）に示すように、この実施の形態に係わる立体視観察装置１０の立体視観察装置本体（グリップ部）１２は、第１の立体視用光学系７０を内部に備えている。第１の立体視用光学系７０は、第１の実施の形態で説明した第１の立体視用光学系１６からフォーカス光学系２４（図１（Ｂ）参照）が除かれたものである。フォーカス光学系２４により行なわれていたフォーカス調整は、結像レンズ２８の光軸方向の位置を変化させることによって調整される。１対の結像レンズ２８は、例えばネジ送り機構（図示せず）や、ラックアンドピニオンギヤ（図示せず）など、結像レンズ２８を移動させて撮像素子３０に結像される光軸を移動させる光軸移動機構によって支持されている。このため、ネジ送り機構のネジやラックアンドピニオンギヤが動作されると、１対の結像レンズ２８は、互いに対して接離する方向に移動可能である。なお、第１の実施の形態で説明した光軸移動機構５４は観察装置本体１２から除かれている。
【００５６】
図６（Ａ）に示すように、撮像素子３０には、撮像素子３０を制御するカメラコントロールユニット（以下、ＣＣＵという）３２が接続されている。このＣＣＵ３２には、撮像素子３０で撮像した画像を処理する画像処理装置３４が接続されている。この画像処理装置３４には、処理した画像を表示するための表示装置（３次元モニター）３６が接続されている。
【００５７】
次に、この実施の形態に係わる立体視観察装置１０の作用について説明する。  
この実施の形態に係わる光軸移動機構は、結像レンズ２８により結像される像（光学中心）の位置を変化させる。挿入部ユニット１４が観察装置本体１２から取り外されて立体視観察装置１０を手術用立体視顕微鏡として使用する場合、１対の結像レンズ２８を互いに離隔するように上述したネジ送り機構やラックアンドピニオンギヤ（光軸移動機構）を用いて移動させる。そうすると、図６（Ｂ）に示すように、隣接する撮像素子３０の領域のうち、互いに離隔した位置に像の中心（光学中心）が形成される。撮像素子３０上の光学中心の周囲の所定の大きさの画郭７２ａ，７２ｂを画像処理装置３４の画像処理により切り取り、これらの画郭７２ａ，７２ｂを信号線３０ａ，３０ｂを介して３次元モニター３６に伝達して表示する。
【００５８】
このように、１対の結像レンズ２８が互いに離隔した状態にある場合、カバーガラス１８を介して全反射プリズム２０に入射される被検体からの光の光軸は、次第に離隔される。全反射プリズム２０、正立化プリズム２２、フォーカス光学系２４およびズーム光学系２６を通して結像レンズ２８に入射される光の光軸は、全反射プリズム２０から結像レンズ２８に近づくにつれて互いに離隔される。このため、１対の光軸は、被検体で交差された状態から、結像レンズ２８に入射されるまで、次第に離隔されながら各光学部材を通して伝達される。
【００５９】
一方、挿入部ユニット１４の装着部１４ｂが観察装置本体１２に装着されて立体視観察装置１０を立体視内視鏡として使用する場合、１対の結像レンズ２８を互いに近接するように上述したネジやラックアンドピニオンギヤ（光軸移動機構）を用いて移動させる。そうすると、図６（Ｃ）に示すように、隣接する撮像素子３０の領域のうち、互いに近接した位置に像の中心（光学中心）が形成される。撮像素子３０上の光学中心の周囲の所定の大きさの画郭７４ａ，７４ｂを画像処理装置３４の画像処理により切り取り、これらの画郭７４ａ，７４ｂを信号線３０ａ，３０ｂを介して３次元モニター３６に伝達して表示する。
【００６０】
このように、１対の結像レンズ２８が互いに近接した状態にある場合、挿入部ユニット１４の対物レンズ４０、第１および第２のリレーレンズ４２ａ，４２ｂ、プリズム４４、および第３のリレーレンズ４６を通し、観察装置本体１２のカバーガラス１８を通して全反射プリズム２０に入射される光の光軸は、平行である。全反射プリズム２０、正立化プリズム２２、フォーカス光学系２４およびズーム光学系２６を通して結像レンズ２８に入射される光の光軸は、互いに平行である。このため、１対の光軸は、対物レンズ４０に入射されると平行となるように被検体で交差されている。
【００６１】
そうすると、画像処理装置３４によって所定の画郭を切り出すことにより、撮像素子３０で撮像可能な領域の範囲内で光軸（光学中心）を移動させることができる。このため、観察する光軸を焦点位置によって自在に偏向させることができる。
【００６２】
立体視観察装置１０を手術用立体視顕微鏡として使用する場合、画像処理装置３４による画郭７２ａ，７２ｂの移動範囲は、撮像素子３０の最も近接した位置から最も離隔した位置の間に制限される。このため、撮像素子３０の大きさにより、移動範囲が制限される。したがって、この構成によっては、撮像素子３０上で光軸を離隔させることができる量には限りがあるので、挿入部着脱部５０の開口部から極近いところにピントを合わせることは難しい。しかし、一般に手術用顕微鏡を用いる場合、作業空間を確保するために焦点距離を長くすることが要求されるので、この欠点は問題にならない。
【００６３】
以上説明したように、この実施の形態に係わる立体視観察装置１０によれば、以下の効果が得られる。
【００６４】
結像レンズ２８を光軸移動機構を用いて移動させることによって、撮像素子３０の結像中心（光学中心）を所定の範囲内（撮像素子３０の大きさに基づいて）で移動させることができる。このため、１対の光軸を観察装置本体１２のカバーガラス１８から結像レンズ２８に向かうにつれて平行な状態から離隔した状態まで、所定の範囲内で移動させることができる。したがって、光軸の移動範囲内で、被検体にピントを合わせてその被検体を立体視観察することができる。
【００６５】
また、結像レンズ２８を動かすのみであるなど、動かす光学部材が少ないので、立体視観察装置１０の観察光軸の信頼性を向上させることができる。
【００６６】
さらに、挿入部ユニット１４自体は大型化せず、観察装置本体１２の結像レンズ２８に光軸移動機構を配設して結像レンズ２８の近傍や撮像素子３０の近傍のみを大型化するので、挿入部ユニット１４が大型化することを回避することができる。このため、体腔に対する挿入部ユニット１４の挿入部１４ａ挿入性が良好な状態を保持することができる。
【００６７】
したがって、内視鏡を用いた内視鏡的処置と、顕微鏡を用いた顕微鏡的処置とを迅速的に切り替えることが必要な場合に、挿入部ユニット１４を観察装置本体１２に対して着脱し、画像処理装置３４による画郭を切り出す位置の切り替えのみでこれらの処置を容易に切り替えることができる。そうすると、術者が疲労する度合を軽減させることができるとともに、手術時間の短縮を図ることができる。さらに、２つの処置を行なうことが可能なので、手術室内のスペースを開けることができる。
【００６８】
なお、例えば図６（Ｂ）に示す撮像素子３０上の画郭７２ａ，７２ｂが切り取られる状態から図６（Ｃ）に示す撮像素子３０上の画郭７４ａ，７４ｂが切り取られる状態に切り替える場合、観察装置本体１２に対して挿入部ユニット１４の着脱状態を検知するスイッチが設けられていることが好ましい。このスイッチは、上述した画像処理装置３４に連動していることが好ましい。そうすると、このスイッチの切り替え信号に応じて画像処理装置３４を動作させて、画郭７２ａ，７２ｂ，７４ａ，７４ｂを切り替えることができる。
【００６９】
その他、撮像素子３０から画郭を切り出す大きさを変化させても、光軸の移動範囲を広く取ることができる。このため、立体視観察装置１０を特に立体視顕微鏡として使用する場合、観察範囲（焦点距離）を移動させることができる。
【００７０】
次に、第３の実施の形態について図７（Ａ）ないし図８を用いて説明する。この実施の形態は、第１の実施の形態に係わる立体視観察装置１０の変形例であるので、第１の実施の形態で説明した部材と同一の部材には同一の符号を付し、詳しい説明を省略する。
【００７１】
図７（Ａ）に示すように、挿入部ユニット１４の装着部１４ｂの基端部には、位置決めピン７８ａが設けられている。観察装置本体１２（後述する開閉部材８０）には、位置決めピン７８ａを受けるピン受部７８ｂが形成されている。このため、挿入部ユニット１４は、観察装置本体１２に対して、常に決められた位置に装着される。
【００７２】
図７（Ｂ）および図７（Ｃ）に示すように、観察装置本体１２は、光軸移動機構として、それぞれ第１の立体視用光学系１６を内部に有する１対の開閉部材８０を備えている。開閉部材８０の一端部（観察装置本体１２のカバーガラス１８の外周部）には、開閉部材８０を開閉可能に支持するリング状の支持部８２と、１対の開閉部材８０を支持部８２との間で連結する１対のレバー８４と、開閉部材８０の開閉量を規制するストッパー８６とが設けられている。１対のレバー８４は、開閉部材８０を対称的に開閉させる。ストッパー８６は、支持部８２から開閉部材の他端部側に突出され、開閉部材８０の傾きを支持する。一方、開閉部材８０の他端部（結像レンズ２８や撮像素子３０の外周）近傍は、バネ８８により互いに連結されている。このバネ８８は、１対の開閉部材８０を互いに離隔するように付勢されている。
【００７３】
次に、この実施の形態に係わる立体視観察装置１０の作用について説明する。
【００７４】
挿入部ユニット１４の装着部１４ｂが観察装置本体１２に装着され、位置決めピン７８ａがピン受部７８ｂに挿入されるにつれて、バネ８８の付勢力に抗して開閉部材８０が閉じる方向に移動する。位置決めピン７８ａがピン受け部７８ｂに完全に挿入されると、開閉部材８０は、完全に閉じる。すなわち、観察装置本体１２の第１の立体視用光学系１６に対して、挿入部ユニット１４の第２の立体視用光学系３８の位置が決められる。このとき、レバー８４は、不動状態にある（図７（Ｃ）参照）。このため、この状態の立体視観察装置１０は、立体視内視鏡として使用される。
【００７５】
挿入部ユニット１４の装着部１４ｂが観察装置本体１２から取り外されると、位置決めピン７８ａもピン受け部７８ｂから引き抜かれる。そうすると、開閉部材８０は、位置決めピン７８ａによる規制が解かれるので、バネ８８の付勢力により、互いに離隔する。このとき、１対の開閉部材８０の位置は、レバー８４およびストッパー８６により所定の角度に規定される。このため、第１の立体視用光学系１６に入射される光軸の角度は、互いに平行な状態から、開閉部材８０の一端部から他端部に向けて次第に離隔される状態に移動する。そうすると、第１の立体視用光学系１６に入射される光軸は、被検体で交差された状態にある。このため、この状態の立体視観察装置１０は、手術用立体視顕微鏡として使用される。
【００７６】
したがって、挿入部ユニット１４が観察装置本体１２に装着された場合、開閉部材８０が閉じ、第１の実施の形態で説明した状態と同様に立体視内視鏡として使用される。挿入部ユニット１４が観察装置本体１２から取り外された場合、開閉部材８０が開き、かつ、開閉部材８０の開閉角度が決められるので、カバーガラス１８を介して全反射プリズム２０に入射される光軸の角度が決定される。したがって、挿入部ユニット１４が取り外されて開閉部材８０が開いた場合、立体視顕微鏡として使用される。
【００７７】
以上説明したように、この実施の形態に係わる立体視観察装置１０によれば、以下の効果が得られる。
【００７８】
挿入部ユニット１４が挿入部着脱部５０に装着された状態では、第１の実施の形態で説明した立体視内視鏡と同様に、立体視内視鏡として機能させることができる。
【００７９】
挿入部ユニット１４を挿入部着脱部５０から取り外すと、１対の観察装置本体１２（開閉部材８０）は互いに分離するので、第１の立体視用光学系１６が輻輳され、輻輳角をもつ。そして、フォーカス光学系２４が、１対の光軸の交差する距離に調整されることにより、１対の光軸が交差する距離にある物体を立体視することができ、立体視顕微鏡として機能させることができる。
【００８０】
光学部材（１対の第１の立体視用光学系１６）を一体的に動かすので、隣接する光学部材同士の配置がずれる可能性が少なく、光軸の信頼性を向上させることができる。このため、精度の高い光学系を実現することができ、高い画像品質を得ることができる。
【００８１】
これまで、いくつかの実施の形態について図面を参照しながら具体的に説明したが、この発明は、上述した実施の形態に限定されるものではなく、その要旨を逸脱しない範囲で行なわれるすべての実施を含む。
【００８２】
上記説明によれば、下記の事項の発明が得られる。また、各項の組み合わせも可能である。
【００８３】
［付記］
（付記項１）  着脱可能な細径挿入部を具備した２眼の立体視内視鏡であって、
前記細径挿入部の着脱に応じて観察光軸を変更する手段を具備したことを特徴とする立体視内視鏡。
【００８４】
（付記項２）  前記観察光軸を変更する手段は、ミラー又はプリズムの角度の動作であることを特徴とする付記項１に記載の立体視内視鏡。
【００８５】
（付記項３）  前記観察光軸を変更する手段は、撮像素子の画郭の切り出し、又は撮像素子の位置の動作であることを特徴とする付記項１に記載の立体視内視鏡。
【００８６】
（付記項４）  前記観察光軸を変更する手段は、左右の光学系全体の姿勢の動作であることを特徴とする付記項１に記載の立体視内視鏡。
【００８７】
（付記５）  立体視観察用の１対の光軸を有する２眼の第１の立体視用光学系を備えた本体と、
この本体に設けられた挿入部着脱部と、
前記挿入部着脱部に着脱可能に装着された状態で生体組織に挿入可能で、立体視観察用の１対の光軸を有する第２の立体視用光学系が内蔵された細長い挿入部と、
前記挿入部が前記挿入部着脱部に連結された状態で前記第２の立体視用光学系の光軸が前記第１の立体視用光学系の光軸にそれぞれ合わせられ、前記挿入部が前記挿入部着脱部から取り外された状態で前記第１の立体視用光学系の光軸を移動させて前記第１の立体視用光学系の光軸を互いに交差するように移動させる光軸移動機構と
を具備することを特徴とする立体視観察装置。
【図面の簡単な説明】
【００８８】
【図１】本発明の第１の実施の形態に係わる立体視観察装置を示し、（Ａ）は、立体観察装置を側方から見た概略的な透視図、（Ｂ）は、（Ａ）の矢印１Ｂ方向から見た概略的な透視図、（Ｃ）は、立体観察装置の挿入部を（Ａ）の矢印１Ｃ方向から見た概略的な透視図。
【図２】本発明の第１の実施の形態に係わる立体視観察装置における観察装置本体を示し、（Ａ）は、観察装置本体を側方から見た概略的な透視図、（Ｂ）は、（Ａ）の矢印２Ｂ方向から見た概略的な透視図、（Ｃ）は、観察装置本体のカバーガラスおよび全反射プリズムの近傍を（Ａ）の矢印２Ｃ方向から見た概略的な透視図。
【図３】本発明の第１の実施の形態に係わる立体視観察装置を示し、（Ａ）は、観察装置本体のカバーガラスおよび全反射プリズムの近傍を側方から見た概略的な透視図、（Ｂ）は、全反射プリズムのプリズム座を（Ａ）の矢印３Ｂ方向から見た概略的な上面図。
【図４】本発明の第１の実施の形態に係わる立体視観察装置を示し、（Ａ）は、観察装置本体のカバーガラスおよび全反射プリズムの近傍を側方から見た概略的な透視図、（Ｂ）は、全反射プリズムのプリズム座を（Ａ）の矢印４Ｂ方向から見た概略的な上面図。
【図５】本発明の第２の実施の形態に係わる立体視観察装置における観察装置本体を示し、（Ａ）は、観察装置本体を側方から見た概略的な透視図、（Ｂ）は、（Ａ）の矢印５Ｂ方向から見た概略的な透視図、（Ｃ）は、観察装置本体のカバーガラスおよび全反射プリズムの近傍を（Ａ）の矢印５Ｃ方向から見た概略的な透視図。
【図６】（Ａ）は、本発明の第２の実施の形態に係わる立体視観察装置における画像処理システムを示す概略的なブロック図、（Ｂ）は、本発明の第２の実施の形態に係わる立体視観察装置において、立体視観察装置が手術用立体視顕微鏡として使用される場合の画像を示す概略図、（Ｃ）は、本発明の第２の実施の形態に係わる立体視観察装置において、立体視観察装置が立体視内視鏡として使用される場合の画像を示す概略図。
【図７】本発明の第３の実施の形態に係わる立体視観察装置を示し、（Ａ）は、立体観察装置を側方から見た概略的な透視図、（Ｂ）は、（Ａ）の矢印７Ｂ方向から見た概略的な透視図、（Ｃ）は、（Ａ）の矢印７Ｃ方向から見た概略的な透視図。
【図８】本発明の第３の実施の形態に係わる立体視観察装置における観察装置本体から挿入部が取り外された状態を示す観察装置本体の概略図。
【符号の説明】
【００８９】
１０…立体視観察装置、１２…観察装置本体（グリップ部）、１４…挿入部ユニット、１４ａ…挿入部、１４ｂ…装着部１６…第１の立体視用光学系、１８…カバーガラス、２０…全反射プリズム、２２…正立化プリズム、２８…結像レンズ、３０…撮像素子、３８…第２の立体視用光学系、４０…対物レンズ、４４…プリズム、４６…第３のリレーレンズ、５０…挿入部着脱部、５０ａ…雌体、５４…光軸移動機構、５６…プリズム座、５６ａ…固定部、５６ｂ…バネ支持部、５６ｃ…テーパピン受部、５８ａ…第１のバネ、５８ｂ…第２のバネ、６０…テーパピン、６２…台座、６４…連結棒
【図１】
2005134537.tif 000003
【図２】
2005134537.tif 000004
【図３】
2005134537.tif 000005
【図４】
2005134537.tif 000006
【図５】
2005134537.tif 000007
【図６】
2005134537.tif 000008
【図７】
2005134537.tif 000009
【図８】
2005134537.tif 000010